(57)【要約】【課題】各種メモリ装置のインターフェイスやＵＳＢインターフェイスに対応可能な微小なマイクロメモリカードと受動スイッチ装置を組合せたメモリ装置。【解決手段】マイクロコントローラとリライタブルメモリ及び伝送部１０３より構成されるマイクロメモリカード１において、応用されるインターフェイスのシグナル伝送に対応すべく該伝送部１０３を汎用型のインターフェイスとし、該マイクロメモリカード１に連結される受動スイッチ装置２に各種メモリ装置のインターフェイスに適合した形態のインターフェイス２０１とすることによって、適用される装置の各種のメモリ装置のインターフェイスと接続可能とし、該マイクロメモリカード１のマイクロコントローラによって受動スイッチ装置２の上記インターフェイスの形態を自動的に探索及び判断して対応すべき運用モードにスイッチして該マイクロメモリカード１のリライタブルメモリにアクセス可能とする。【選択図】　　　　図２
0003098663.tif 000002
【実用新案登録請求の範囲】
【請求項１】
少なくともマイクロコントローラと一つ以上のリライタブルメモリを含む基板、並びに該基板と電気的に接続された伝送部とより構成されるマイクロメモリカードを具有する微小化されたメモリカードであるマイクロメモリカードとそれを適用する受動スイッチ装置において、
該伝送部は、汎用型のインターフェイスの構造とし、該マイクロコントローラによって接続された各種のインターフェイスの自動探索とそれへのスイッチを行い、多種のデジタル機器のメモリカードのインターフェイスが伝送するシグナルを支援可能とした
ことを特徴とするマイクロメモリカードとそれに適用する受動スイッチ装置からなるメモリ装置。
【請求項２】
該汎用型のインターフェイスとは市販のカード形式及びその他のメモリ装置のインターフェイスを支援するものであることを特徴とする請求項１記載のマイクロメモリカードとそれに適用する受動スイッチ装置からなるメモリ装置。
【請求項３】
該汎用型のインターフェイスとは市販のスティックタイプやその他のメモリ装置のインターフェイスを支援するものであることを特徴とする請求項１記載のマイクロメモリカードとそれに適用する受動スイッチ装置からなるメモリ装置。
【請求項４】
該汎用型のインターフェイスとは、該メモリ装置のインターフェイスに対応しており、ターミナルピンは一対多数で電気的接続が為されていることを特徴とする請求項２或いは３記載のマイクロメモリカードとそれに適用する受動スイッチ装置からなるメモリ装置。
【請求項５】
該汎用型インターフェイスとはＵＳＢストレージのインターフェイスを支援することを特徴とする請求項１記載のマイクロメモリカードとそれに適用する受動スイッチ装置からなるメモリ装置。
【請求項６】
該汎用型インターフェイスとＵＳＢインターフェイスの対応方式は、一部をＤＩＳＡＢＬＥ状態にし、ターミナルピンが一対一方式で電気的接続が為されていることを特徴とする請求項５記載のマイクロメモリカードとそれに適用する受動スイッチ装置からなるメモリ装置。
【請求項７】
マイクロメモリカードを支援する受動スイッチ装置には、第一規格インターフェイスと設置区とを具有する主体を含み、
該第一規格インターフェイスにおいては設置しようとするメモリ装置のインターフェイスの形態を呈しており、対称方式で各デジタル機器のメモリ装置のインターフェイスと接続され、また該設置区においては該マイクロメモリカード内に収容され、該マイクロメモリカードの汎用型インターフェイスが該第一規格インターフェイスと電気的に接続されることを特徴とするマイクロメモリカードとそれに適用する受動スイッチ装置からなるメモリ装置。
【請求項８】
該マイクロメモリカードを支援する該受動スイッチ装置には、該マイクロメモリカードの汎用型インターフェイスと接続されるべく、該設置区付近の適当な位置に第二規格インターフェイスが設けられており、且つ非対称方式で該第一規格インターフェイスと電気的に接続されていることを特徴とする請求項７記載のマイクロメモリカードとそれに適用する受動スイッチ装置からなるメモリ装置。
【請求項９】
該マイクロメモリカードを支援する受動スイッチ装置の該第一規格インターフェイスとは、カード形式或いはスティックタイプ、若しくはその他のメモリ装置のインターフェイスの形態を呈していることを特徴とする請求項７記載のマイクロメモリカードとそれに適用する受動スイッチ装置からなるメモリ装置。
【請求項１０】
該マイクロメモリカードを支援する受動スイッチ装置の該汎用型インターフェイスとは、一部のターミナルピンで一対多数の方式により、該第一規格インターフェイスと電気的に接続されていることを特徴とする請求項９記載のマイクロメモリカードとそれに適用する受動スイッチ装置からなるメモリ装置。
【請求項１１】
該マイクロメモリカードを支援する受動スイッチ装置の該第一規格インターフェイスはＵＳＢインターフェイスの形態を呈していることを特徴とする請求項７記載のマイクロメモリカードとそれに適用する受動スイッチ装置からなるメモリ装置。
【請求項１２】
該マイクロメモリカードを支援する受動スイッチ装置の該汎用型インターフェイスは、一部のターミナルピンがＤＩＳＡＢＬＥ状態であり、一部のターミナルピンが一対一方式で該第一規格インターフェイスと電気的に接続されていることを特徴とする請求項１１記載のマイクロメモリカードとそれに適用する受動スイッチ装置からなるメモリ装置。
【請求項１３】
該マイクロメモリカードを支援する受動スイッチ装置とは、ＵＳＢストレージのインターフェイス規格に類する設計であることを特徴とする請求項７記載のマイクロメモリカードとそれに適用する受動スイッチ装置からなるメモリ装置。
【請求項１４】
該マイクロメモリカードを支援する受動スイッチ装置とは、カード形式或いはスティックタイプのインターフェイスとサイズ規格に対応するものであることを特徴とする請求項７記載のマイクロメモリカードとそれに適用する受動スイッチ装置からなるメモリ装置。
【請求項１５】
少なくともマイクロコントローラと一つ以上のリライタブルメモリを含む基板、並びに基板と電気的に接続された伝送部とより構成されるマイクロメモリカードを具有するマイクロメモリカードとそれに適用する受動スイッチ装置において、
多種のデジタル機器のメモリ装置のインターフェイスが伝送するシグナルを支援するべく汎用型のインターフェイスの形態を呈している該伝送部と、
第一規格インターフェイス、及び該マイクロメモリカードの汎用型インターフェイスが該第一規格インターフェイスと電気的に接続されるべく該マイクロメモリカードが収容される設置区とが設けられた主体を具有し、更にデジタル機器におけるメモリ装置のインターフェイスと接続されるべく、該第一規格インターフェイスは設置しようとするインターフェイスの形態に合わせた構成を為している該受動スイッチ装置と、
を具有し、
該マイクロメモリカードのマイクロコントローラにより、該受動スイッチ装置と接続されたインターフェイスの形態を自動で探索及び判断し、スイッチされるべき運用モードに対応し、外部のデータを該マイクロメモリカードにアクセスさせることを特徴とするマイクロメモリカードとそれに適用する受動スイッチ装置からなるメモリ装置。
【請求項１６】
該マイクロメモリカードの汎用型インターフェイスは非対称方式により、該第一規格インターフェイスと電気的に接続されていることを特徴とする請求項１５記載のマイクロメモリカードとそれに適用する受動スイッチ装置からなるメモリ装置。
【請求項１７】
該第一規格インターフェイスは、カード形式或いはスティックタイプ或いはその他のメモリ装置のインターフェイスの形態を呈していることを特徴とする請求項１６記載のマイクロメモリカードとそれに適用する受動スイッチ装置からなるメモリ装置。
【請求項１８】
該汎用型インターフェイスは、一部のターミナルピンを一対一の方式で該第一規格インターフェイスと電気的に接続されていることを特徴とする請求項１７記載のマイクロメモリカードとそれに適用する受動スイッチ装置からなるメモリ装置。
【請求項１９】
該第一規格インターフェイスは、ＵＳＢインターフェイスの形態を呈していることを特徴とする請求項１６記載のマイクロメモリカードとそれに適用する受動スイッチ装置。
【請求項２０】
該汎用型インターフェイスは一部のターミナルピンをＤＩＳＡＢＬＥにし、一部のターミナルピンによって一対一方式で該第一規格インターフェイスに電気的に接続されていることを特徴とする請求項１９記載のマイクロメモリカードとそれに適用する受動スイッチ装置からなるメモリ装置。
【考案の詳細な説明】
【０００１】
【考案の属する技術分野】
本考案は、微小化されたメモリカードであるマイクロメモリカード（以下マイクロメモリカードという。）とそれに適用する受動スイッチ装置からなるメモリ装置に係り、特に多種の運用モードを具有するリライタブルタイプのマイクロメモリカードを具え、受動スイッチ装置に該マイクロメモリカードを接続することにより、多種のメモリカードやその他のメモリ装置などのインターフェイスを支援するマイクロメモリカードと受動スイッチ装置に関わる。
【０００２】
【従来の技術】
電子技術の発展に伴い、個人がデータの保存や携帯を行う上で更に便利なよう、保存容量は大きいが軽量で体積が小さいと同時に、伝送速度の速いメモリ装置が既に開発されている。また前述のメモリ装置の利点はこれだけではなく、繰り返し書き込みが行えること、節電，防振，防湿などの面においても優れた性能を具えている。こういったメモリ装置の代表としては、例えばＰＣ（ＰＣＭＣＩＡ）カード，ＣＦ（Ｃｏｍｐａｃｔ　Ｆｌａｓｈ：登録商標）カード，ＳＭ（Ｓｍａｒｔ　Ｍｅｄｉａ：登録商標）カード，ＭＭＣ（Ｍｕｌｔｉｍｅｄｉａ　Ｃａｒｄ：登録商標），ＭＳ（Ｍｅｍｏｒｙ　Ｓｔｉｃｋ：登録商標），ＳＤ（Ｓｅｃｕｒｅ　Ｄｉｇｉｔａｌ：登録商標）カードなど、各メーカーによって異なる種類のものが市場に出回って、消費者に幅広く使用されている。
【０００３】
【考案が解決しようとする課題】
上述のような各社の提供するメモリ装置には統一された規格がないことから、消費者がある一つのデジタル製品（ハード）を購入した際、それに適応するメモリ装置（ソフト）は該製品を生産するメーカーのものに限られてしまうといった問題や、また同様の理由から、一台のコンピュータで多種のメモリ装置に対応せねばならない不便さがある。
またこれとは別に、現在のコンピュータやデジタル機器には統一されたＵＳＢインターフェイスが採用されており、ＵＳＢインターフェイスの利点としては伝送スピードが速く、設置が容易であり、ホットプラグインできる、多種の周辺装置を支援する、等の利点があり、現在のパソコン内には殆どこの拡張インターフェイスが搭載されている。
そこで上述の各種メモリ装置のインターフェイスやＵＳＢインターフェイスに対応し、且つ体積が小さく保存容量の大きな本考案のマイクロメモリカードとそれに適用する受動スイッチ装置からなるメモリ装置を提供する。
【０００４】
【課題を解決するための手段】
マイクロコントローラとリライタブルメモリを有する基板、並びに該基板と電気的に接続されている伝送部より構成されるマイクロメモリカードにおいて、応用されるインターフェイスのシグナル伝送を支援するべく、該伝送部を汎用型のインターフェイスとして設計し、更に該マイクロメモリカードに連結される受動スイッチ装置には第一規格インターフェイスを設け、該第一規格インターフェイスは設置しようとするメモリ装置のインターフェイスの形態に設計し、該汎用型インターフェイスと電気的に接続し、該応用される装置のメモリ装置のインターフェイスと接続し、該マイクロメモリカードのマイクロコントローラで該受動スイッチ装置が支援するインターフェイスの形態を自動で探索及び判断し、対応すべき運用モードにスイッチすることで、外部のデータを該マイクロメモリカードのリライタブルメモリにアクセスさせる。
【０００５】
【考案実施の形態】
図１に示すように、本考案のマイクロメモリカード１には少なくともマイクロコントローラ１０１及び一つ以上のリライタブルメモリ１０２を含む基板１０、並びに該基板１０と電気的に接続されている伝送部１０３とより構成される。該マイクロメモリカード１には微小化の設計に相応しいものとするべく、全体のサイズを小さくて携帯に便利な公知のＳＤ（Ｓｅｃｕｒｅ　Ｄｉｇｉｔａｌ：登録商標）カードやＭＳ（Ｍｅｍｏｒｙ　Ｓｔｉｃｋ：登録商標）などをはじめとするメモリの規格を採用する。
該伝送部１０３は現在汎用されているインターフェイスであり、一般に使用されているデジタル機器に用いられるメモリカードやメモリ装置を支援するインターフェイス、つまり上述のＳＤやＭＳやその他のメモリと連結されるインターフェイスとする。また伝送されるシグナルの属性を分別するべく、該メモリカード１は汎用型のインターフェイス１０３上に少なくともこれに対応した伝送用ターミナルピンが設けられており、例えば電源用ターミナルピン，データ伝送用ターミナルピン，シグナル伝送コントロール用のターミナルピンなどとすることで、インターフェイスが伝送する各シグナルに対応する。
【０００６】
しかしこのようなターミナルピンの設計では各メモリカードのインターフェイスに対応するのに足らず、微小化の目的を達成するべく、ターミナルピンの数量をできる限り減らし、一部のピンを一対多数の方式で、該メモリ装置のインターフェイスと電気的接続を行う。
ＳＤカードのコネクタを例とすれば、９つのピンを具有するインターフェイスとしているが、その一部のピンはマイナス極の電源を供給する目的に使用されているため、本考案のマイクロメモリカード１ではその設計上に単一のピンでマイナス電源の供給を賄い、その電気的接続は一つのターミナルピンで多数に対応する一対多数の方式でＳＤカードのインターフェイス中の全てのマイナス電源ターミナルピンに連結するようにする。こうすることで不要なピンを削減し、多数のメモリに連結されるインターフェイスが伝送する必要なシグナルに対応する。
また本考案のマイクロメモリカード１は、前述のインターフェイスを支援する比較的数量の多いターミナルピンを削減する他、ピンの数量が比較的少ないインターフェイスをも支援する。これは例えば現在最もよく使用されている標準タイプのインターフェイスであるＵＳＢインターフェイスなどを指し、該ＵＳＢインターフェイスでは４つのピンのみを使用しているが、該マイクロメモリカード１ではこの類のインターフェイスに対応する際、一部をＤＩＳＡＢＬＥとし、一対一の方式で該ＵＳＢインターフェイスと電気的接続を行い、該ＵＳＢインターフェイスが伝送する全てのシグナルに対応する。
【０００７】
前述のインターフェイスの電気的接続を実行するには、該マイクロメモリカード１の基板１０上のマイクロコントローラ１０１の分配を先ず行う。該マイクロコントローラ１０１には自動探索及び切換えの機能を具有し、自動で支援するべきデジタル機器のインターフェイスを探索すると同時に運用モードの切換えを行う。対応すべきモードとは、前述の伝送モード以外にも、データやシグナル解読や執行を指令するモードなども含む。こうして該マイクロメモリカード１を完全に多種のインターフェイスによる伝送及び運用モードの需要に対応させる。
また該マイクロメモリカード１がリライタブルメモリ１０２を具えたものとした場合、これは非揮発性のフラッシュメモリであり、電気的に何度もデータの書き込みや消去を行い、該マイクロメモリカード１にストレージ機能を具有させることで、既存のメモリ装置に取って代わって各種デジタル機器に応用できるようにする。
【０００８】
図２に示すように、本考案では該マイクロメモリカード１は微小化を図ると同時に、サイズ上で適した既存のメモリのインターフェイスに対応するよう、該マイクロメモリカード１を支援する受動スイッチ装置２を採用しており、該受動スイッチ装置２は該マイクロメモリカード１がインターフェイスのサイズ規格上、該ＳＤやＭＤ等のメモリとＵＳＢに類似したものを構成している。
引き続き図２に示すように、該マイクロメモリカード１を支援する該受動スイッチ装置２において詳しく説明を加えると、該受動スイッチ装置２には主体２０を含み、該主体２０上には第一規格インターフェイス２０１及び設置区２０２を具有し、該第一規格インターフェイス２０１は各種デジタル機器のメモリの連結されるインターフェイスに対応したもの（一対一での接続）とし、該設置区２０２は該マイクロメモリカード１を設置する個所を提供しており、該マイクロメモリカード１の汎用型インターフェイス１０３が該第一規格インターフェイス２０１と電気的に接続されるようにする。
該受動スイッチ装置２の実施例の一つとして、該設置区２０２に隣接する適当な個所には第二規格インターフェイス２０３を更に設け、その規格が該マイクロメモリカード１のインターフェイス規格（つまり図１の汎用型インターフェイス１０３）と完全に符合するものとし、該マイクロメモリカード１の汎用型インターフェイス１０３を接続し、該第一規格インターフェイス２１は完全に対称なのではなく、一対複数，或いは部分をＤＩＳＡＢＬＥとした電気的接続方式を採る。こうすることで該マイクロメモリカード１が該設置区２０２に設置されるとき、該第二規格インターフェイス２０３は該第一規格インターフェイス２０１と共に、外部から取り入れるシグナルの伝送を行う。
【０００９】
図３に示すように、受動スイッチ装置をＳＤ（Ｓｅｃｕｒｅ　Ｄｉｇｉｔａｌ）とした際における実施例を以下に記す。該ＳＤカードに類する受動スイッチ装置３にはＳＤに設けられたのと等しい数量のピンと構造形態を具有し、外部のデジタル機器中のＳＤのインターフェイスと完全に対称を成しており、該マイクロメモリカード１を該ＳＤカードに類する受動スイッチ装置３の設置区３２内に設置して両者が一体となることで、一つのＳＤメモリと同様の形態を具有するものとなり、デジタルカメラを始めとする各種デジタル機器に対応できるようになる。
【００１０】
また、受動スイッチ装置をＭＳ（Ｍｅｍｏｒｙ　Ｓｔｉｃｋ）のインターフェイスとした実施例を図４に示す。ＭＳに類する受動スイッチ装置４にはＭＳと等しい数量のピンと構造形態を具有し、該マイクロメモリカード１を該ＭＳに類する受動スイッチ装置４の設置区４２内に設置すると、両者が一体となってＭＳ同様の形態を具有するものとなり、各種デジタル機器に対応することができるようになる。
【００１１】
該ＵＳＢインターフェイスを具有するコンピュータシステム，その他のデジタル機器などと相互に接続するべく、受動スイッチ装置を図５に示すようにＵＳＢに対応するものとした実施例では、ＵＳＢに類するインターフェイスの受動スイッチ装置５にはＵＳＢと同数のピン及び構造形態を具有し、該マイクロメモリカード１を該ＵＳＢに類するインターフェイスの受動スイッチ装置５の設置区５２内に設置すると、両者が一体となってＵＳＢの形態を具有するものとなる。このとき該受動スイッチ装置５は外殻の設計は、ＵＳＢの携帯式ストレージと同様であるが、該ＵＳＢインターフェイスを具有するデジタル機器と連結するとき、そのほとんどが装置内にてロックする必要がなく、機器外殻上に該マイクロメモリカード１を設置する形の設計となっている。
【００１２】
つまり本考案のマイクロメモリカード１と、上述の各受動スイッチ装置とを合わせて使用することで、該マイクロメモリカード１のマイクロコントローラ１０１が、連結されたインターフェイスの形態を自動で探索及び判断した後、対応する適切な運用モードにスイッチし、多種のメモリのインターフェイスに対応する目的を果たし、外部のデータを該マイクロメモリカード１にアクセスする。
また図３，４，５に示すように、該マイクロメモリカード１を上述の各受動スイッチ装置に設置する方式においては、各受動スイッチ装置の側面などの適当な個所にスロット（図３のスロット３０，図４のスロット４０，図５のスロット５０参照）を設け、且つこれらのスロットは内側の設置区まで延伸していることから、該マイクロメモリカード１は各スロットから容易に受動スイッチ装置内に挿入されるようになっている。ただし該マイクロメモリカード１を該受動スイッチ装置内に挿入する方法においては、蓋式のものとするなど、上述のようなスロット方式には限らない。
【００１３】
【考案の効果】
本考案によると、既存のメモリ装置のインターフェイスやＵＳＢインターフェイスに対応しつつ、保存容量はそのままに微小化が図られたことで、携帯やデータ保存が更に便利なメモリカードを提供することに成功した。
【図面の簡単な説明】
【図１】本考案のマイクロメモリカードの構造を示す図である。
【図２】本考案の受動スイッチ装置の構造を示す図である。
【図３】本考案のマイクロメモリカードと、これに対応したＳＤメモリ規格に類する受動スイッチ装置を示す図である。
【図４】本考案のマイクロメモリカードと、これに対応したＭＳ規格に類する受動スイッチ装置を示す図である。
【図５】本考案のマイクロメモリカードと、これに対応したＵＳＢ規格に類する受動スイッチ装置を示す図である。
【符号の説明】
１　マイクロメモリカード
１０　基板
１０１　マイクロコントローラ
１０２　リライタブルメモリ
１０３　伝送部（汎用型インターフェイス）
１０３１　汎用型インターフェイスターミナルピン
２　受動スイッチ装置
２０　主体
２０１　第一規格インターフェイス
２０２　設置区
２０３　第二規格インターフェイス
３　ＳＤ（Ｓｅｃｕｒｅ　Ｄｉｇｉｔａｌ）カードに類する受動スイッチ装置
３０　スロット
３２　設置区
３３　ＳＤ規格インターフェイス
４　ＭＳ（Ｍｅｍｏｒｙ　Ｓｔｉｃｋ）に類する受動スイッチ装置
４０　スロット
４２　設置区
４３　ＭＳ規格インターフェイス
５　ＵＳＢに類するインターフェイスの受動スイッチ装置
５０　スロット
５２　設置区
５３　ＵＳＢ規格インターフェイス
【図１】
0003098663.tif 000003
【図２】
0003098663.tif 000004
【図３】
0003098663.tif 000005
【図４】
0003098663.tif 000006
【図５】
0003098663.tif 000007